(57)【要約】  たばこ製品群（２）を収容する内側容器（４）と、外側容器（５）と、少なくとも１つの係止部材と、を有し、外側容器（５）は、内側容器（４）が外側容器（５）の中に挿入される閉位置と、内側容器（４）が外側容器（５）から部分的に引き出された開位置との間を、内側容器（４）が外側容器（５）に対してスライド可能な態様で、内側容器（４）を収納し、係止部材は、外側からの使用者の操作により解除可能な態様で、閉位置の内側容器（４）が、外側容器（５）に対して、スライドすることを防止するたばこ製品用パッケージ。
2013531589.tif 000002
【特許請求の範囲】
【請求項１】
たばこ製品群（２）を収容する内側容器（４）と、外側容器（５）と、少なくとも１つの係止部材と、を備える、たばこ製品用パッケージであって、
前記外側容器（５）は、前記内側容器（４）が前記外側容器（５）の中に挿入される閉位置と、前記内側容器（４）が前記外側容器（５）から部分的に引き出された開位置との間を、前記内側容器（４）が外側容器（５）に対してスライド可能な態様で、前記内側容器（４）を収納し、
前記係止部材が、外側からの使用者の操作により解除可能な態様で、閉位置の内側容器（４）が、外側容器（５）に対して、スライドすることを防止する、たばこ製品用パッケージにおいて、
閉位置の前記内側容器（４）が、前記外側容器（５）に対して、スライドすることを防止する前記係止部材は、前記外側容器（５）の壁（１４）を内方に押すように、前記壁（１４）に圧力をかけることにより、解除可能であることを特徴とする、たばこ製品用パッケージ。
【請求項２】
前記係止部材は、さらに、解除不能な態様で、前記開位置の前記内側容器（４）が、前記外側容器（５）に対して、スライドすることを防止する、請求項１記載のたばこ製品用パッケージ。
【請求項３】
前記外側容器（５）の前記壁（１４）は、変形可能部（１９）を備え、前記変形可能部（１９）は、前記内側容器（４）が、前記閉位置にあるときには、前記係止部材の箇所に配置されて、且つ前記変形可能部（１９）は、前記係止部材を解除するために、内方に押される、請求項１又は２記載のたばこ製品用パッケージ。
【請求項４】
前記外側容器（５）の前記変形可能部（１９）は、前記外側容器（５）の前記壁（１４）に形成された折線（２０）により形成される、請求項３記載のたばこ製品用パッケージ。
【請求項５】
前記折線（２０）は、Ｕ字形状である、請求項４記載のたばこ製品用パッケージ。
【請求項６】
前記折線（２０）は、直線状である、請求項４記載のたばこ製品用パッケージ。
【請求項７】
前記折線（２０）は、切れ目により形成される、請求項４〜６のいずれか１項記載のたばこ製品用パッケージ。
【請求項８】
前記係止部材は、少なくとも１つの第１の係止タブ（１１）と、第２の係止タブ（１８）とを備え、
前記第１の係止タブ（１１）は、前記内側容器（４）の壁（８）から、通常は外方に突出し、且つ第１の縁（２１）を有し、
第２の係止タブ（１８）は、前記外側容器（５）の壁（１４）から内方に突出して、前記第１の係止タブ（１１）の第１の縁（２１）に面する第２の縁（２２）を有し、
前記第２の縁（２２）は、前記閉位置の前記内側容器（４）が引き出されたときに、前記第１の縁（２１）が引っ掛かる機械的なストッパを形成する、請求項１〜７のいずれか１項記載のたばこ製品用パッケージ。
【請求項９】
前記係止部材は、前記第１の係止タブ（１１）の前記第１の縁（２１）に面すると共に機械的なストッパを形成する第３の縁（２３）を備えており、
開位置の前記第１の内側容器（４）が引き出されたときに、第１の縁（２１）が前記機械的ストッパに対して引っ掛かり、及び前記機械的ストッパは、前記外側容器（５）に対して前記内側容器（４）のスライドを制限するための制限ストッパとして作用して、前記内側容器（４）が前記外側容器（５）から完全に外れてしまうことを防止する、請求項８記載のたばこ製品用パッケージ。
【請求項１０】
前記第２の係止タブ（１８）は、前記第２の係止タブ（１８）における前記第３の縁（２３）を形成する中央の第１の貫通穴（２４）を有する、請求項９記載のたばこ製品用パッケージ。
【請求項１１】
前記第１の係止タブ（１１）は、前記内側容器（４）の大きい側壁（８）の一部により形成され、且つ係止タブ（１１）は、前記大きい側壁（８）を通る切れ目により境界が形成される、請求項８〜１０のいずれか１項記載のたばこ製品用パッケージ。
【請求項１２】
前記内側容器（４）の前記大きい側壁（８）は、前記第１の係止タブ（１１）の前記第１の縁（２１）を取り囲む第２の貫通穴（２５）を備える、請求項１１記載のたばこ製品用パッケージ。
【請求項１３】
前記第２の係止タブ（１８）は、前記外側容器（５）の大きい側壁（１４）の内側表面に接着されている、請求項８〜１２のいずれか１項記載のたばこ製品用パッケージ。
【請求項１４】
前記第２の係止タブ（１８）は、前記外側容器（５）の前記大きい側壁（１４）に、ヒンジ付けされ、且つ１８０°に折り曲げられる、請求項１３記載のたばこ製品用パッケージ。
【請求項１５】
開口（１６）から外方に面する、前記内側容器（４）の小さい側壁（９ａ）は、２つの突起（３５）を備え、前記２つの突起は、前記小さい側壁（９ａ）と平行に、前記小さい側壁（９ａ）を形成する２つの縦方向の縁から突出し、且つ前記使用者による前記内側容器（４）の握り易さを提供する、請求項１〜１４のいずれか１項記載のたばこ製品用パッケージ。
【請求項１６】
前記内側容器（４）は、前記大きい側壁（８）を形成する２つの第１のパネル（８’、８’’）を有する半加工品（２６）を折り曲げることにより形成され、且つ前記２つの第１のパネル（８’、８’’）は、前記小さい側壁（９）を形成するそれぞれの側翼（９’、９’’）を有し、
前記２つの突起（３５）は、前記半加工品（２６）の前記第１のパネル（８’、８’’）内でそれぞれ切れ目により形成される、請求項１５記載のたばこ製品用パッケージ。
【発明の詳細な説明】
【背景技術】
【０００１】
本発明は、たばこ製品用スライド式パッケージに関する。
【０００２】
以下の記載では、平易のため、純粋に非限定的な例として、たばこ用スライド式パッケージが参照される。
【０００３】
たばこ用ヒンジ付蓋のハードパッケージは、製造するのが容易で、使用するのが簡易且つ実用的であり、そして中のたばこの良好な保護も提供するため、現在、最も広く流通している。
【０００４】
ヒンジ付蓋タイプに加えて、たばこ用スライド式ハードパッケージも、又、現在入手可能である。たばこ用スライド式ハードパッケージは、一方が他方の内側に挿入される、部分的に取り外し可能な２つの容器、すなわち、ホイル包装されたたばこ群の内側容器、及び外側容器の中に収納されたそれ自身を具備する。内側容器は、内側容器が外側容器の中に挿入された閉位置と、内側容器が外側容器から部分的に引き出された開位置との間で、外側容器に対してスライドするように、外側容器に対して、直線的にスライドするか、又は接続するヒンジ周りに２つの容器を回動することにより揺動される。
【０００５】
たばこ用直線スライド式ハードパッケージの複数の実施例が、特許文献１〜４に記載されている。１つのたばこ用揺動式ハードパッケージが、特許文献５に記載されている。
【先行技術文献】
【特許文献】
【０００６】
【特許文献１】仏国特許第２，４９９，９４７号明細書
【特許文献２】米国特許第４，５３４，４６３号明細書
【特許文献３】米国特許第５，０８０，２２７号明細書
【特許文献４】伊国特許第１，１６９，１６３号明細書
【特許文献５】国際公開第２００６／０２１５８１号パンフレット
【発明の概要】
【発明が解決しようとする課題】
【０００７】
たばこ用スライド式ハードパッケージの１つの欠点は、何らかの状態で（典型的には、鞄の中、又は比較的緩いポケットの中）制御されない態様でスライドして開口してしまう傾向があることである。すなわち、内側容器が外側容器からスライドし、従って、内側容器からシガレット、又はたばこが抜け落ちてしまうことになる。
【０００８】
たばこ用揺動式ハードパッケージの場合には、内側容器が閉位置のときには、内側容器と外側容器との間に所定量の抵抗を付与することが提案されている。これにより、内側容器を、開位置に移動するため、内側容器の頂角をわずかに変形させるように十分な圧力がかからなければならない。言い換えれば、内側容器は、内側容器を開けるために比較的強い圧力がかかるまで、閉位置の状態を維持する。しかしながら、内側容器の頂角の変形は、容器が開く度ごとに、内側容器が形成された厚紙が部分的に損傷し、内側容器中のたばこを圧迫してしまうことが生じる（従って、特に、頂角に接触している２本のたばこに「凹み」が生じる）。
【課題を解決するための手段】
【０００９】
本発明の目的は、上述した欠点を取り除くように設計され、そして、特に、安価で製造しやすいたばこ用スライド式パッケージを提供することである。
【００１０】
本発明によれば、付随する特許請求の範囲に請求された、たばこ用スライド式パッケージが提供される。
【００１１】
本発明の非限定的な複数の実施の形態が、付随する図面を参照して一例として説明されるであろう。
【図面の簡単な説明】
【００１２】
【図１】図１は、本発明による、たばこ用直線スライド式ハードパッケージの、閉位置の斜視図を示す。
【図２】図２は、図１のたばこ用パッケージの開位置の斜視図を示す。
【図３】図１のたばこ用パッケージの閉位置を示す破断側面図を示す。
【図４】図１のたばこ用パッケージの開位置を示す破断側面図を示す。
【図５】図５は、閉位置から開位置への移行を示す、図１のたばこ用パッケージの横断面図を示す。
【図６】図６は、閉位置から開位置への移行を示す、図１のたばこ用パッケージの横断面図を示す。
【図７】図７は、閉位置から開位置への移行を示す、図１のたばこ用パッケージの横断面図を示す。
【図８】図８は、閉位置から開位置への移行を示す、図１のたばこ用パッケージの横断面図を示す。
【図９】図９は、図１のたばこ用パッケージの内側容器を製造するための半加工品の展開平面図を示す。
【図１０】図１０は、図１のたばこ用パッケージの外側容器を製造するための半加工品の展開平面図を示す。
【図１１】本発明による、たばこ用揺動式ハードパッケージの閉位置の斜視図を示す。
【図１２】図１２は、図１１のたばこ用パッケージの開位置の斜視図を示す。
【図１３】図１３は、図１１のたばこ用パッケージの閉位置の破断側面図を示す。
【図１４】図１４は、図１１のたばこ用パッケージの開位置の破断側面図を示す。
【図１５】図１５は、図１１のたばこ用パッケージの内側容器を製造するための、半加工品の展開平面図を示す。
【図１６】図１６は、図１１のたばこ用パッケージの外側容器を製造するための、半加工品の展開平面図を示す。
【発明を実施するための形態】
【００１３】
図１における参照符号１は、全体として、たばこ用直線（線形）スライド式ハードパッケージを示す。
【００１４】
図１のたばこ用パッケージ１は、包装されたたばこ群２（図２）、すなわち、ホイル包装材において包装されたたばこ群２（図示せず）、及び厚紙又は類似するもので製造され、包装されたたばこ群２を収容する外側のハードパッケージ３を具備する。そして、外側パッケージ３は、包装されたたばこ群２を実際に収納する硬い内側容器４、及び硬い外側容器５を備える。内側容器４は、内側容器４が外側容器５の中に完全に挿入された閉位置（図１）と、内側容器４が包装されたたばこ群２を取り出し可能にするために、外側容器５から部分的に引き出された開位置（図２）との間を、外側容器５に対して平行移動するように外側容器５に収納される。
【００１５】
図２に示されるように、内側容器４は、平行６面体形状であり、底壁６（図４）、頂壁７、２つの対向する平行な大きい側壁８、及び大きい側壁８の間に配置される２つの平行な小さい側壁９ａ，９ｂを備える。小さい側壁９ａの近くに、頂壁７は、引き出し開口１０を有し、引き出し開口１０は、大きい側壁８の部分にもかかるように延びる。そして、引き出し開口１０は、内側容器４が開位置のとき、使用者がたばこ群２の包装を開けた後、内側容器４からたばこ（図示せず）の引き出しを可能とするように外側容器５の外側に配置される。４つの縦方向の縁は、大きい側壁８と小さい側壁９との間に形成される。そして、８つの横方向の縁は、側壁８，９と壁６，７との間に形成される。
【００１６】
図３，４に示されるように、小さい側壁９ｂの近くで、係止タブ１１が、各大きい側壁８から切り起こされて、大きい側壁８と小さい側壁９ｂとの間の縁から内側容器４の外方に突出する。
【００１７】
図１に示されるように、外側容器５も、平行６面体であり、底壁１２（図４）、頂壁１３、対向する２つの平行な大きい側壁１４、小さい側壁１５、及び小さい側壁１５と対向し且つ内側容器４がその中をスライドする開口１６、を備える。２つの縦方向の縁は、大きい側壁１４と小さい側壁１５との間に形成される。そして、６つの横方向の縁は、側壁１４，１５と壁１２，１３との間に形成される。外側容器５の小さい側壁１５は、穴１７を有する。穴１７は、内側容器４を開位置にスライドさせるため、使用者が、小さい側壁１５を通して、内側容器４の小さい側壁９ｂに、押圧力を及ぼすことを可能とするような形状と大きさにされる。図に示された好ましい実施の形態において、穴１７も、外側容器５の大きい側壁１４の一部分に及ぶ。
【００１８】
係止タブ１８は、開口１６と境界を接する外側容器５の各大きい側壁１４の縁に接続されて、大きい側壁１４の内側表面にヒンジ付けされ、且つ１８０°に折り曲げられて、接着される。図示されていない異なる実施の形態では、外側容器５の大きい側壁１４にヒンジ付けされるのではなく、各係止タブ１８は、大きい側壁１４から初めは完全に分離されて、後に大きい側壁１４の内側表面に接着される。
【００１９】
内側容器４の２つの係止タブ１１及び外側容器５の２つの係止タブ１８は、係止部材を形成し、前記係止部材は、外側からの使用者の操作により解除可能な態様で、閉位置の内側容器４が、外側容器５に対してスライドすることを防止する。言い換えると、内側容器４の２つの係止タブ１１及び外側容器５の２つの係止タブ１８を備える係止部材は、容器４，５が相互にスライドすることを防止することにより、内側容器４の閉位置状態を保持する。そして、係止部材は、たばこ用パッケージ１を開ける（すなわち、外側容器５に対して、内側容器４が開位置にスライドする）ために、外側からの使用者の操作により、係止が無効とされうる。
【００２０】
内側容器４の２つの係止タブ１１及び外側容器５の２つの係止タブ１８を含む係止部材が、解除不可能な態様で、開位置の内側容器４が外側容器５に対してスライドすることも防止する。すなわち、係止部材は、内側容器４が外側容器５から完全に外れてしまうことも防止するために、外側容器５に対する内側容器４の引き出し行程のための制限ストッパとして作用する。
【００２１】
図に示された好ましい実施の形態において、閉位置の内側容器４が外側容器５に対してスライドすることを防止する係止は、外側容器５の大きい側壁１４を内方に押すように前記大きい側壁に圧力をかけることにより、無効にされうる。さらに、具体的には、外側容器５の各大きい側壁１４は、変形可能部１９を有し、内側容器４が閉位置のとき、変形可能部１９は係止部材のところ（すなわち、外側容器５の小さい側壁１５の近く）に配置され、及び係止を解除するために内方に押圧される。外側容器５の各変形可能部１９は、外側容器５の壁１４に形成されて、通常は切れ目により形成される折線２０により形成される。図示された実施の形態において、各折線２０は、Ｕ字形状であるが、図示されない異なる実施の形態では、直線である。
【００２２】
図示された実施の形態は、内側容器４の大きい側壁８から外方に突出する対称的な２つの係止タブ１１と、外側容器５の大きい側壁４から内方に突出する２つの対応する係止タブ１８を有する。図示されない異なる実施の形態は、内側容器４の大きい側壁８から外方に突出するただ一つの係止タブ１１と、外側容器５の大きい側壁１４から内方に突出する１つの対応する係止タブ１８を有する。
【００２３】
また、各係止タブ１１は、縁２１を有し、縁２１は、係止タブ１１の外形線を形成して、外側容器５の開口１６に面する（すなわち、内側容器４の小さい側壁９ａに面する）。そして、各係止タブ１８は、縁２２を有し、縁２２は係止タブ１８の外形線を形成して、対応する係止タブ１１の縁２１に面する（すなわち、外側容器５の小さい側壁１５、及び内側容器４の小さい側壁９ａに面する）。各係止タブ１８の縁２２は、機械的なストッパを形成し、閉位置の内側容器４が引き出されるときに、縁２１が縁２２に対して引っ掛かる。
【００２４】
また、各係止タブ１８は、縁２３を有し、縁２３は、対応する係止タブ１１の縁２１に面し（すなわち、外側容器５の小さい側壁１５、及び内側容器４の小さい側壁９ｂに面する）、及び開位置の内側容器４が引き出されるときに、対応する係止タブ１１の縁２１が引っ掛かる、機械的なストッパを形成する。これにより、外側容器５に対する、内側容器４の行程のための制限ストッパとして作用するため、内側容器４が外側容器５から完全に外れてしまうことを防止する。各係止タブ１８は、好ましくは、係止タブ１８における縁２３を形成する中央の貫通穴２４を有する。
【００２５】
好ましい実施の形態において、各係止タブ１１は、内側容器４の大きい側壁８の一部からなり、大きい側壁８におけるＵ字形状の切れ目により形成される。内側容器４の各大きい側壁８は、好ましくは、係止タブ１１の縁２１を取り囲む貫通穴２４を備える。
【００２６】
図１〜４のたばこ用パッケージ１の操作は、図５〜８の断面図において概略的に示される。
【００２７】
図５は、閉位置の内側容器４を示す。係止タブ１１は、内側容器４の大きい側壁８から外方に通常は突出して、そして、係止タブ１１の縁２１は、係止タブ１８のそれぞれの縁２２に面する。従って、内側容器４が引き出されるときに、縁２１が縁２２に対して引っ掛かり、係止タブ１１は、ストッパとして作用する。
【００２８】
図６では、内側容器４は、その閉位置が示される。使用者は、２つの係止タブ１１を内側容器４に対して平らに押して、これにより係止タブ１８の縁２２の係止を外すように、外側容器５の大きい側壁１４の変形可能部１９を内方に押圧する。この構成において、係止タブ１１の縁２１は、係止タブ１８の縁２２に対してもはや引っ掛からず、従って、図７に示されるように、外側容器４に対して、内側容器４が開位置となるようにスライド可能となる。
【００２９】
外側容器５に対して、内側容器４を開位置になるようにスライドすると、内側容器４の係止タブ１１は、最終的に、穴２４に到達して、穴２４の中に、再度、外方に突出する。図８に示されるように、係止タブ１１の縁２１が、最終的に、係止タブ１８の縁２３（穴２４を形成する）に対して、接触状態となって引っ掛かる。従って、係止タブ１８の縁２３が機械的ストッパとして作用する。係止タブ１８の縁２３は、開位置の内側容器４が引き出されるとき、係止タブ１１の縁２１が縁２３に対して引っ掛かり、これにより外側容器５に対して内側容器４のスライドを停止して、内側容器４が外側容器５から完全に外れてしまうことを防止する。
【００３０】
図１〜４におけるたばこ用パッケージ１の容器４，５は、図９，１０にそれぞれ示される既知の半加工品２６、２７から形成される。各半加工品２６，２７は、特に、複数のパネルを備え、複数のパネルは、それぞれの容器４，５の対応する壁については、可能な限り、上付き文字付きの同一の参照符号が使用されて示される。
【００３１】
図９に示されるように、半加工品２６は、２つの縦折線２８、及び複数の横折線２９を備える。複数の横折線２９は、２つの縦折線２８の間に、頂壁７を形成するパネル７’、１つの大きい側壁を形成するパネル８’、底壁６を形成するパネル６’、他の大きい側壁８を形成するパネル８’’、及び残りの頂壁７を形成するパネル７’’を形成する。
【００３２】
パネル８’は、２つの側翼９’を有する。２つの側翼９’は、それぞれの小さい側壁９の外側部分を形成し、パネル８’の対辺に配置されて、縦折線２８によりパネル８’から分離される。パネル８’’は、２つの側翼９’’を有し、前記２つの側翼９’’は、小さい側壁９のそれぞれの内側部分を形成し、パネル８’’の対辺に配置され、及び縦折線２８によりパネル８’’から分離される。パネル８’の側翼９’は、２つのタブ３０を有し、２つのタブ３０は、横折線２９によりそれぞれの側翼９’から各々分離される。そして、対応する穴２５により部分的に取り囲まれた、それぞれの係止タブ１１は、各パネル８’、８’’内に形成される。
【００３３】
図１０に示されるように、半加工品２７は、２つの横折線３１、及び複数の縦折線３２を有する。複数の縦折線３２は、横折線３１の間で、一方の大きい側壁１４を形成するパネル１４’、小さい側壁１５を形成するパネル１５’、他方の大きい側壁を形成するパネル１４’’を形成する。各パネル１４’、１４’’は、パネル１５’とは反対側に配置された係止タブ１８を有し、係止タブ１８は、縦折線３２によりそれぞれのパネル１４’、１４’’から分離される。
【００３４】
パネル１４’は、パネル１４’の両側端に配置される２つの台形の端翼１２’、１３’を有し、端翼１２’、１３’は、横折線３１によりパネル１４’から分離されて、壁１２，１３のそれぞれの内側部分を形成する。パネル１５’は、２つの端翼１２’’、１３’’を有し、それらは、パネル１５’の両側端に配置され、横折線３１によりパネル１５’から分離され、丸い外側頂点の三角形状で、壁１２，１３のそれぞれの内側部分を形成する。パネル１４’’は、２つの長方形状の端翼１２’’’、１３’’’を有し、それらは、パネル１４’’の両側端に配置され、横折線３１によりパネル１４’’から分離され、壁１２，１３のそれぞれの外側部分を形成する。そして、端翼１２’、１２’’及び１３’、１３’’は、外側容器５の壁１２，１３を形成するために、端翼１２’’’、１３’’’上に折り曲げられたときに、重ならないような形状にされる。
【００３５】
図１〜４に示された実施の形態において、たばこ用パッケージ１は、直線的にスライドする。すなわち、内側容器４は、開位置と閉位置との間で、外側容器５に対して平行移動する（すなわち、大きい横方向の縁に対して、平行方向に直線的に移動する）。図１１〜１４の実施の形態において、たばこ用パッケージ１は、揺動して開く、すなわち、内側容器４は、内側容器４の底壁６を外側容器５の底壁１２に接続するヒンジ３３周りに回動することにより、開位置と閉位置との間で、外側容器５に対して移動する。
【００３６】
言い換えると、図１〜４及び図１１〜１４のたばこ用パッケージ１は、図１１〜１４のたばこ用パッケージ１の内側容器４が、ヒンジ３３により外側容器５にヒンジ付け（すなわち、接続）されるのに対して、図１〜４のたばこ用パッケージ１の内側容器は、２つの容器４，５の間でいかなる接続もなく、単に、外側容器５の内側に挿入されることにより異なる。このように、図１１〜１４のたばこ用パッケージ１の容器４，５は、ヒンジ３３周りで回動することにより、スライドする一方、図１〜４のたばこ用パッケージ１は、直線的にスライドする。
【００３７】
図１〜４と図１１〜１４のたばこ用パッケージ１との別の違いは、図１〜４のたばこ用パッケージ１は、外側容器５の小さい側壁１５を実質的に通って形成された穴１７を有するのに対して、図１１〜１４のたばこ用パッケージ１では、穴１７は省かれて、その機能（容器４，５の間の相対運動を促進する）は、開口１６において、外側容器５の大きい側壁１４の対辺で対称的に形成された２つの穴３４により実施されることにある。
【００３８】
係止部材手段により閉位置に内側容器４を維持することにより、閉位置の内側容器４と外側容器５との間には、何も抵抗するものは必要ではない。このため、内側容器４の頂角が内側容器４が開位置に移動するため変形することはない。従って、内側容器４の厚紙又は、内側容器４の中のたばこに対し、いかなる損傷が生じることも回避できる。
【００３９】
図１，２、１１，１２に示された可能な実施態様において、内側容器４の小さい側壁９ａは、小さい側壁９ａの２つの縦方向の縁から、小さい側壁９ａに平行（従って、２つの大きい側壁８と垂直）に突出する２つの突起３５を有する。そして、それは、使用者により、内側容器４の握りを容易にするのに役立つ。図９、１５に示された、突起３５は、半加工品２６のパネル８’、８’’においてそれぞれの切れ目により形成される。そして、パネル９’、９’’が、対応するパネル８’、８’’に対して９０°に折り曲げられたとき、突起３５は、パネル９’、９’’ と共に、及び対応するパネル８’、８’’に対して９０°に折り曲げられる。これにより、突起３５は、パネル９’、９’’と同一平面上のままで、及び突起３５が、パネル９’、９’’から（すなわち、パネル９’、９’’を重ね合わせることにより形成される内側容器４の小さい側壁９ａから）、横方向に突出する。
【００４０】
図１１〜１４のたばこ用パッケージ１の容器４，５は、図１５、１６に示されたそれぞれの半加工品２６，２７から形成され、半加工品２６，２７は、図１〜４のたばこ用パッケージの容器４，５を形成するために使用された図９、１０の半加工品２６、２７と同じである。
【００４１】
記載されたたばこ用パッケージ１は、多数の利点がある。安価で容易に製造することができ、とりわけ、係止部材に特徴がある。係止部材は、外側からの使用者による解除可能な態様で、閉位置の内側容器４が外側容器５に対してスライドすることを防止する、これにより、たばこ用パッケージ１が不用意に開いてしまうことを防止する。さらに、係止部材は、たばこ用パッケージ１を開けるために使用者の両手を組み合わせた操作も必要とすることにより、「チャイルドセーフティ」装置として作用する（一方の手で外側容器５の大きい側壁１４の変形可能部１９を押し、且つ他方の手で外側容器５から内側容器４を引き出す）。大人には十分単純だが、この両手を組み合わせた操作が、子供にとっては非常に複雑なものであるため、たばこ用パッケージ１は、大人にとっては容易に開けることができるが、子供には開けることが難しい。
【００４２】
その多数の利点を考慮して、記載されたたばこ用パッケージ１の設計は、たばこカートンの製造に適用されてもよい。たばこカートンは、実質的には、たばこ用パッケージ１に類似しており、唯一の違いは、たばこカートンが、たばこ群ではなく、たばこ用パッケージ群を含むことである。
【図１】
2013531589.tif 000003
【図２】
2013531589.tif 000004
【図３】
2013531589.tif 000005
【図４】
2013531589.tif 000006
【図５】
2013531589.tif 000007
【図６】
2013531589.tif 000008
【図７】
2013531589.tif 000009
【図８】
2013531589.tif 000010
【図９】
2013531589.tif 000011
【図１０】
2013531589.tif 000012
【図１１】
2013531589.tif 000013
【図１２】
2013531589.tif 000014
【図１３】
2013531589.tif 000015
【図１４】
2013531589.tif 000016
【図１５】
2013531589.tif 000017
【図１６】
2013531589.tif 000018
【国際調査報告】
2013531589.tif 000019
2013531589.tif 000020